(57)【要約】【課題】  従来よりも高度の防水性を達成することができる両開き扉を持つ電気機器収納用箱の防水構造を提供する。【解決手段】  第１の発明では、電気機器収納用箱の左扉１１と右扉１２との先端当接部分に、鉛直方向に延びるパッキン１５，１６をそれぞれ設け、これら左右のパッキンどうしの接触面１７を箱本体に対して左右方向に傾斜した傾斜面とすることにより、扉を閉じたときにぴったりと密着させる。第２の発明では、左扉１１と右扉１２との何れかの先端当接部分に、鉛直方向に延びる水切り部を設けその上端を扉面側が高い傾斜面とするとともに、箱本体側にこの傾斜面と当接する傾斜面を備えたパッキンを設け、左右の扉の先端当接部分上端をパッキンにより完全に封止する。【選択図】  図５
2005150295.tif 000002
【特許請求の範囲】
【請求項１】
電気機器収納用箱の左扉と右扉との先端当接部分に、鉛直方向に延びるパッキンをそれぞれ設け、これら左右のパッキンどうしの接触面を箱本体に対して左右方向に傾斜した傾斜面としたことを特徴とする両開き扉を持つ電気機器収納用箱の防水構造。
【請求項２】
電気機器収納用箱の左扉と右扉との何れかの先端当接部分に、鉛直方向に延びる水切り部を設けるとともに、この水切り部の上端を扉面側が高い傾斜面とし、かつ箱本体側に前記傾斜面と当接する傾斜面を備えたパッキンを設けたことを特徴とする両開き扉を持つ電気機器収納用箱の防水構造。
【発明の詳細な説明】
【技術分野】
【０００１】
本発明は、主として屋外に設置される、両開き扉を持つ電気機器収納用箱の防水構造に関するものである。
【背景技術】
【０００２】
屋外に設置される両開き扉を持つ電気機器収納用箱の防水構造としては、特許文献１に示されるように、扉の上部及び先端当接部分に断面コの字状の水切り部を折曲形成したものが知られている。このような防水構造は、片側の扉に設けられた断面コ字状の水切り部の内部に他方の扉に設けられた差込み部を挿入し、雨水が箱本体の内部に流入することを防止する構造となっている。
【０００３】
しかしこのような従来の防水構造は、左右の扉を閉じた状態において扉の先端当接部分の上端に間隙があるため、雨水の飛沫が箱本体の内部に浸入することを確実に防止することはできず、高度の防水性を達成することはできなかった。また構造が複雑であり、製作コストが高くなるという問題があった。
【０００４】
このほかの両開き扉を持つ電気機器収納用箱の防水構造としては、図１１〜図１３に示すように、閉じたときに内側に位置する扉１の端部上下に水切り金具２を設けるとともに、水切り金具２の箱本体側の面にパッキン３を貼り、また他方の扉４の端部にもパッキン５を貼った防水構造も知られている。ところがこの防水構造は、左右の扉１、４が重なる部分ではパッキン５の厚さが影響して図１３に示すような三角状の間隙６が鉛直方向に形成されてしまうことが避けられない。このためこの間隙６の上端から雨水が浸入する可能性があり、高度の防水性を達成することができないという問題があった。
【特許文献１】特開２００３−１０６０６９号公報
【発明の開示】
【発明が解決しようとする課題】
【０００５】
本発明は上記した従来の問題点を解決して、構造が比較的簡単でありながら、従来よりも高度の防水性を達成することができる両開き扉を持つ電気機器収納用箱の防水構造を提供するためになされたものである。
【課題を解決するための手段】
【０００６】
上記の課題を解決するためになされた第１の発明は、電気機器収納用箱の左扉と右扉との先端当接部分に、鉛直方向に延びるパッキンをそれぞれ設け、これら左右のパッキンどうしの接触面を箱本体に対して左右方向に傾斜した傾斜面としたことを特徴とするものである。
【０００７】
また、同一の課題を解決するためになされた第２の発明は、電気機器収納用箱の左扉と右扉との何れかの先端当接部分に、鉛直方向に延びる水切り部を設けるとともに、この水切り部の上端を扉面側が高い傾斜面とし、かつ箱本体側に前記傾斜面と当接する傾斜面を備えたパッキンを設けたことを特徴とするものである。
【発明の効果】
【０００８】
第１の発明によれば、電気機器収納用箱の左扉と右扉との先端当接部分に設けた左右のパッキンどうしの接触面を傾斜面としたので、扉を閉じたときにパッキンの傾斜面どうしがぴったりと密着し、左扉と右扉との先端当接部分の上端に図１３に示したような鉛直方向の間隙が生じることがない。このため水切り金具が不要となり、しかも高度の防水性を達成することができる。
【０００９】
また第２の発明によれば、電気機器収納用箱の左扉と右扉との何れかの先端当接部分に設けた鉛直方向の水切り部の上端を傾斜面とし、箱本体側にこれに当接する傾斜面を備えたパッキンを設けたので、扉を閉じたときに水切り部の上端の傾斜面がパッキンとぴったりと密着し、左扉と右扉との先端当接部分の上端に図１３に示したような鉛直方向の間隙が生じることがない。このため高度の防水性を達成することができる。
【発明を実施するための最良の形態】
【００１０】
以下に図面を参照しつつ、各発明の好ましい実施形態を説明する。
図１〜図５は第１の発明の実施形態を説明する図である。ただし図１〜図４は何れも、扉を水平にした状態で図示されている。また図５は水平断面図である。
【００１１】
これらの図において、１１は電気機器収納用箱の前面に設けられた左扉、１２は右扉である。これらの扉は箱本体の前面両側の側枠１３に、蝶番１４によりそれぞれ枢着されている。左扉１１の先端当接部分の裏面側（箱本体側）には、鉛直方向に延びるパッキン１５が設けられており、同様に右扉１２の先端当接部分の裏面側には、鉛直方向に延びるパッキン１６が設けられている。そしてこれらのパッキン１５、１６どうしの接触面１７は、図５に示すように箱本体の前面に対して左右方向に傾斜した傾斜面となっている。この実施形態ではその傾斜角は約４５°であるが、３０°〜６０°程度の範囲内で適宜設定することができる。
【００１２】
なお、扉の上端面は内側に折曲させた水平面１８となっており、箱本体の前面上枠１９に被さるようになっている。この水平面１８とパッキン１５、１６の上端との間には間隙２０が形成されている。また箱本体の前面上枠１９の中央部下面には、図２に明示されるような鉛直平面２１を備えた金具２２が２個取り付けられ、図示を略した鎖錠装置のロッド棒がこの金具２２の鉛直平面２１に引っ掛かる構造となっている。
【００１３】
このため、左右の扉１１、１２を閉じれば、図５に示したように左右のパッキン１５，１６どうしの接触面１７がぴったりと重なり合う。このため、左右の扉１１、１２を閉じたときに従来のような鉛直方向の間隙が形成されることがなく、高度の防水性を達成することができる。しかもこの第１の発明によれば水切り金具が不要となり、製作コストを引き下げることが可能となる。
【００１４】
図６〜図１０は第２の発明の実施形態を説明する図である。図６〜図９も図１〜図４と同様に、扉を水平にした状態で図示されている。また図１０は鉛直方向の断面図である。
【００１５】
この第２の発明の実施形態では、左扉１１の先端当接部分に、図９に明示されるような箱状の水切り部３０が鉛直方向に設けられている。この箱状の水切り部３０は扉側の面が開口している。一方、反対側の右扉１２の先端当接部分には直角に折り曲げられた折曲片３１が形成されており、扉を閉じたときにこの折曲片３１が箱状の水切り部３０の開口内に入り込むようになっている。なお水切り部３０は左扉１１と右扉１２との何れかの先端当接部分に設ければよく、この実施形態とは逆に右扉１２に設けることも可能である。
【００１６】
また箱状の水切り部３０の上端面は、図９、図１０に示すように扉面側が高い傾斜面３２となっている。そして箱本体の前面上枠１９の中央部下面には、この水切り部３０の傾斜面３２と当接する下向きの傾斜面３３を備えたパッキン３４が金具３５によって取り付けられている。扉の上端面は内側に折曲させた水平面１８となっているが、この水平面１８と水切り部３０の上端面との間には間隙３６が形成されており、扉を閉じたときにパッキン３４はこの間隙３６に入るようになっている。なお、３７は水切り部３０の上部に水平に配置されたパッキンである。また、金具３５の鉛直平面３８に図示を略した鎖錠装置のロッド棒が引っ掛かる構造となっている。
【００１７】
上記のように構成された左右の扉を閉じれば、右扉１２の先端当接部分の折曲片３１が左扉１１の先端当接部分に設けられた水切り部３０の開口内に入り込むとともに、水切り部３０の上端の傾斜面３２が図１０に示すようにパッキン３４の下向きの傾斜面３３と密着する。このため、左右の扉１１、１２を閉じたときに左右の扉の先端当接部分の上端はパッキン３４により完全に封止され、従来のような鉛直方向の間隙が形成されることがないから、高度の防水性を達成することができる。しかもこの第２の発明の構成も比較的簡単であるから、製作コストが嵩むこともない。
【００１８】
上記したように、本願第１及び第２の発明の防水構造は、何れも構造が簡単でありながら、高度の防水性を達成することができ、両開き扉を持つ電気機器収納用箱の防水性を高めるうえで優れた効果を発揮するものである。
【図面の簡単な説明】
【００１９】
【図１】第１の発明の実施形態を、右扉を外した状態で示す斜視図である。
【図２】図１の円で囲んだ部分の拡大斜視図である。
【図３】第１の発明の実施形態を示す斜視図である。
【図４】図３中の円で囲んだ部分の拡大斜視図である。
【図５】左右の扉のパッキンの密着状態を示す水平断面図である。
【図６】第２の発明の実施形態を示す斜視図である。
【図７】図６中の円で囲んだ部分の拡大斜視図である。
【図８】第２の発明の実施形態を、右扉を外した状態で示す斜視図である。
【図９】図８中の円で囲んだ部分の拡大斜視図である。
【図１０】扉を閉じた状態を示す鉛直断面図である。
【図１１】従来例を示す斜視図である。
【図１２】図１１中の円で囲んだ部分の拡大斜視図である。
【図１３】水切り金具部分の水平断面図である。
【符号の説明】
【００２０】
１  従来技術における扉
２  水切り金具
３  パッキン
４  他方の扉
５  パッキン
６  間隙
１１  本発明における左扉
１２  右扉
１３  箱本体の側枠
１４  蝶番
１５  パッキン
１６  パッキン
１７  接触面
１８  水平面
１９  箱本体の前面上枠
２０  間隙
２１  鉛直平面
２２  金具
３０  水切り部
３１  折曲片
３２  傾斜面
３３  下向きの傾斜面
３４  パッキン
３５  金具
３６  間隙
３７  パッキン
３８  鉛直平面
【図１】
2005150295.tif 000003
【図２】
2005150295.tif 000004
【図３】
2005150295.tif 000005
【図４】
2005150295.tif 000006
【図５】
2005150295.tif 000007
【図６】
2005150295.tif 000008
【図７】
2005150295.tif 000009
【図８】
2005150295.tif 000010
【図９】
2005150295.tif 000011
【図１０】
2005150295.tif 000012
【図１１】
2005150295.tif 000013
【図１２】
2005150295.tif 000014
【図１３】
2005150295.tif 000015